(57)【要約】【課題】ダクト配管が不要なダクトレスで、冷暖房機能が十分に発揮される床下空調システムを提供する。【解決手段】床下空間８に空調装置１５の空調空気を取り込んで床上空間２、３の空調を行うもので、空調装置１５は、空気吸込み部１５ａおよび空気吹出し部１５ｂを備えて、暖房運転時には温風を吹き出し、冷房運転時には冷風を吹き出す構成とされる。床下空間８は、外部と遮蔽された高気密高断熱チャンバの形態とされ、空調装置１５の空気吹出し部１５ｂに開口する吸気口２０と床上空間２、３の床面６ａ、７ａに開口する給気口２１を備え、給気口２１に、床下空間８の空調空気を床上空間２、３に吹出し供給する給気装置１６が設けられてなる。これにより、暖冷房運転時に、空調装置１５から吹き出される温調空気が床下空間８を経て、給気装置１６、１６、…により床上空間２、３に吹出し供給される。【選択図】図１
2020186874.tif 000002
【特許請求の範囲】
【請求項１】
家屋の床下空間に空調装置の空調空気である暖冷気を取り込んで居室等の床上空間の空調を行う空調システムであって、
前記空調装置は、空気吸込み部および空気吹出し部を備えて、暖房運転時には温風を吹き出し、冷房運転時には冷風を吹き出す構成とされ、
前記床下空間は、外部とは遮蔽された高気密高断熱チャンバの形態とされ、前記空調装置の空気吹出し部に開口する吸気口および前記床上空間の床面に開口する給気口を備え、
前記給気口に、前記床下空間の空気を前記床上空間に吹出し供給する給気装置が設けられてなり、
暖房運転時には、前記空調装置から吹出される温風が前記床下空間を経て前記給気装置により前記床上空間に吹出し供給されるとともに、冷房運転時には、前記空調装置から吹出される冷風が前記床下空間を経て前記給気装置により前記床上空間に吹出し供給される構成とされている
ことを特徴とする空調システム。
【請求項２】
前記空調装置は、屋外に設置された屋外機と接続されているヒートポンプ式エアコンディショナの屋内機の形態とされ、前記床上空間と床下空間の境界部に設置されて、前記空気吸込み部から前記床上空間の空気を吸い込むとともに、前記空気吹出し部から前記床下空間に空調空気を吹き出す構成とされている
ことを特徴とする請求項１に記載の空調システム。
【請求項３】
前記空調装置は、壁掛け型の屋内機の形態とされ、その一部が前記床下空間に臨んでまたはその全部が前記床上空間に配置されている
ことを特徴とする請求項２に記載の空調システム。
【請求項４】
前記空調装置は、壁掛け型の屋内機の形態とされ、前記床上空間の床面上に配置されている
ことを特徴とする請求項２に記載の空調システム。
【請求項５】
前記給気装置の吹出し送風量は、前記給気口から吹出し供給される空気の最高到達高さが基準高さ以上となるように設定されている
ことを特徴とする請求項１に記載の空調システム。
【請求項６】
前記基準高さは、前記給気口から前記床上空間に吹き出し供給される空気が床上空間全体に拡散する高さである
ことを特徴とする請求項５に記載の空調システム。
【請求項７】
前記基準高さは、１．０ｍ〜２．５ｍに設定されている
ことを特徴とする請求項６に記載の空調システム。
【請求項８】
前記給気装置は、前記給気口を形成する給気ガラリと、この給気ガラリに一体的設けられた給気ファンとからなり、
前記給気ファンは、吸込み口が前記床下空間に開口するとともに、吹出し口が前記給気ガラリの開口部に一体的に接続開口されている
ことを特徴とする請求項１に記載の空調システム。
【請求項９】
前記給気ガラリの開口部は、前記給気ファンが接続開口される吹出し開口と、前記床下空間と床上空間を連通する連通口とから構成されている
ことを特徴とする請求項８に記載空調システム。
【請求項１０】
前記給気装置は、前記床上空間の各居室内同一床面に少なくとも１台設置されている
ことを特徴とする請求項８に記載の空調システム。
【請求項１１】
前記床上空間に設置される前記給気装置の総吹出し送風量は、前記空調装置から前記床下空間に吹出される送風量よりも大きくなるように設定されている
ことを特徴とする請求項１０に記載の空調システム。
【請求項１２】
２階建て住宅の形態とされた家屋において、
１階および２階の各階層が、請求項１〜１１のいずれか一つに記載の構成を備えている
ことを特徴とする空調システム。
【請求項１３】
前記床上空間を換気する換気装置が前記床下空間に設置され、
この換気装置は、前記床上空間の空気を吸い込んで屋外に排気するとともに、新鮮な外気を吸い込んで前記床下空間に吹き出し、
この床下空間に吹き出された新鮮な外気が前記空調装置から吹出される空調空気と混合され、この混合された空調空気が前記床上空間に吹出し供給される構成とされている
ことを特徴とする請求項１に記載の空調システム。
【請求項１４】
前記換気装置は、前記床上空間の床面に開口する排気口に接続された排気ダクトにより、前記床上空間の空気を吸い込んで屋外に排気するとともに、新鮮な外気を吸い込んで前記床下空間にダクトレスで吹き出す構成とされている
ことを特徴とする請求項１３に記載の空調システム。
【請求項１５】
前記換気装置は、屋外に排気する前記床上空間の空気と、前記床下空間に吹き出す外気との間で熱交換する熱交換部を備えている
ことを特徴とする請求項１３に記載の空調システム。
【請求項１６】
請求項１〜１５のいずれか一つに記載の空調システムを備えてなる
ことを特徴とする家屋。
【発明の詳細な説明】
【技術分野】
【０００１】
本発明は空調システムおよび家屋に関し、さらに詳細には、特に、高気密高断熱構造を備えた一戸建て住宅などの家屋に適して、床下空間にエアコンディショナの暖冷気を取り込んで居室等の床上空間の空調を行う床下空調技術に関する。
【背景技術】
【０００２】
住宅における冷暖房の利用度が上昇するに伴って、住宅のエネルギー消費量も上昇している現在、住宅の高気密高断熱化による省エネルギー対策が求められている。そして、このような高気密高断熱住宅のメリットを最大限に活かすことができるのが全館空調であると言われ、一般住宅にも全館空調が採用され始めている。
【０００３】
この全館空調に適した空調システムとして、床下空間に空調装置の暖冷気を取り込んで居室等の床上空間の空調を行う、いわゆる床下空調システムが知られている（例えば、特許文献１参照）。
【０００４】
この空調システムは、図１４に示すように、家屋ａの床下空間ｂに、屋外の屋外機ｃと接続されたヒートポンプ式のエアコンディショナ（以下「エアコン」と称する。）の屋内機ｄが空調装置として設置されるとともに、家屋ａの床上空間ｅと床下空間ｂとの間の床部ｆに、排気口ｇと給気口ｈとが設けられており、上記排気口ｇと空調装置ｄの吸込部ｉとの間および上記給気口ｈと空調装置ｄの床上用吹出部ｊとの間は、ダクトｋ、ｌでそれぞれ接続されている。また、屋内機ｄには、床下空間ｂへの床下用吹出部ｍが設けられるとともに、床部ｆには、ダクトを介さない給気口ｈとは別の給気口ｎが設けられている。
【０００５】
そして、上記空調装置ｄは、暖房運転時には、床上用吹出部ｊと床下用吹出部ｍのいずれか一方または両者から放熱する制御がなされるとともに、冷房運転時には、床上用吹出部ｊから放冷し、床下用吹出部ｍからは放冷しない制御がなされる構成とされている。
【０００６】
ところで、実際の家屋ａにおいては、上記床上空間ｅである居室は複数存在するのが一般であり、これら各居室ｅ、ｅ、…の床部ｆには上記排気口ｇと給気口ｈがそれぞれ設けられることになる。したがって、この空調システムでは、上記ダクトｋ、ｌが全居室ｅ、ｅ、…にわたって張り巡らせて配設されて、これらダクトｋ、ｌ、…を介して暖冷気による空調（暖房、冷房）が行われている。
【先行技術文献】
【特許文献】
【０００７】
【特許文献１】特開２０１０−２４３１４２号公報
【発明の概要】
【発明が解決しようとする課題】
【０００８】
しかしながら、このような構成では、ダクトｋ、ｌ、…を全居室ｅ、ｅ、…にわたってタコ足のように張り巡らせなければならず、熟練を要するダクト配管が複雑になって、この空調システムの初期投資が高額になるという問題があった。
【０００９】
また、これら床下空間ｂに張り巡らされたダクトｋ、ｌ、…は、定期的にフィルターを交換しなければならないなど面倒であり、メンテナンスの手間や作業コストがかかるという問題もあった。
【００１０】
さらに、上記居室ｅ、ｅ、…以外の脱衣所や浴室などの小空間には、上記ダクトｋ、ｌが行きわたらず、上記空調システムによる空調（暖房・冷房）は行われないというのが一般的であり、暖房・冷房で快適な居室ｅ、ｅ、…と、暖房・冷房のない上記脱衣所や浴室との温度差は大きくなる傾向があり、居住者は移動のたびに不快に感じ、熱効率も悪かった。特に暖房期にあっては、高齢者にとってはいわゆるヒートショックの問題もあった。
【００１１】
本発明はかかる従来の問題点に鑑みてなされたものであって、その目的とするところは、ダクト配管が不要なダクトレスで、冷暖房機能が十分に発揮され得る床下空調システムを提供することにある。
【課題を解決するための手段】
【００１２】
本発明は、本発明者らによる以下の着眼点に基づいた種々の試験研究の成果としてなされたものである。
【００１３】
すなわち、本発明者らは、床下空調システムにおいては、床上空間を暖房する機能と冷房する機能の両機能が求められるところ、従来の特にダクトを使用しない、いわゆるダクトレスの床下空調システムでは、冷房機能が十分に発揮されず、実質的に実用化が困難ないしは不可能であるという事実に着目した。
【００１４】
具体的には、従来のダクトレスの床下空調システムにおいては、床下空間全体に暖冷気が行き渡り難く、特に冷房については、理論上は可能であるが、実質的には実用化が困難ないしは不可能であったという問題に直面していた。
【００１５】
つまり、実際の家屋においては、床下空間に基礎コンクリート（基礎部）の立ち上げ部があり、この立ち上げ部の存在が床下空間における空気の流通の抵抗となっており、空調装置から吹き出された空調空気（暖気、冷気）が床下空間を円滑に流れず、空調装置の吹き出し口近傍に滞留して、床下空間全体に行き渡り難く、この結果、各居室等での有効な暖房や冷房効果が得られない。
【００１６】
さらに、暖房の場合は、暖気が軽いため、床上空間に開口される給気口から床上空間に自然上昇して暖房効果に特に問題はないが、冷房の場合は、冷気が重いため、上記給気口から床上空間に上昇し難く、床上空間の床面近くに停滞してしまい、有効な冷房効果を望めない。このため、有効な冷房効果を出すためには空調装置の設定温度を必要以上に低くしなければならず、しかも、このように設定温度を過度に低くすると、上記床上空間の床面の温度が下がり過ぎて居住者に不快感を与えてしまう。
【００１７】
また、冷房の場合、床下空間内に冷気が停滞すると、結露が生じやすく、しかも床下空間の結露の発見は実質上困難であり、この結果、床下空間内にカビなどが発生するなどの問題もあった。
【００１８】
このようなことから、従来のダクトレスの空調システムでは、理論上は冷房運転も可能であるが、実際上は実用化が困難ないしは不可能であった。
【００１９】
本発明者らは、このようにして得られた知見に基づいて、さらなる試験・研究を行った結果、本発明を完成するに至った。
【００２０】
すなわち、上記目的を達成するため、本発明の空調システムは、家屋の床下空間に空調装置の空調空気である暖冷気を取り込んで居室等の床上空間の空調を行うものであって、上記空調装置は、空気吸込み部および空気吹出し部を備えて、暖房運転時には温風（暖気）を吹き出し、冷房運転時には冷風（冷気）を吹き出す構成とされ、上記床下空間は、外部とは遮蔽された高気密高断熱チャンバの形態とされ、上記空調装置の空気吹出し部に開口する吸気口および上記床上空間の床面に開口する給気口を備え、上記給気口に、上記床下空間の空気を上記床上空間に吹出し供給する給気装置が設けられてなり、暖房運転時には、上記空調装置から吹き出される温風が上記床下空間を経て上記給気装置により上記床上空間に吹出し供給されるとともに、冷房運転時には、上記空調装置から吹き出される冷風が上記床下空間を経て上記給気装置により上記床上空間に吹出し供給される構成とされていることを特徴とする。
【００２１】
好適な実施態様として、以下の構成が採用される。
（１）上記空調装置は、屋外に設置された屋外機と接続されているヒートポンプ式エアコンディショナの屋内機の形態とされ、上記床上空間と床下空間の境界部に設置されて、上記空気吸込み部から上記床上空間の空気を吸い込むとともに、上記空気吹出し部から上記床下空間に空調空気を吹き出す構成とされている。
【００２２】
（２）上記空調装置は、壁掛け型の屋内機の形態とされ、その一部が上記床下空間に臨んでまたはその全部が上記床上空間に配置されている。
【００２３】
（３）上記空調装置は、壁掛け型の屋内機の形態とされ、上記床上空間の床面上に配置されている。
【００２４】
（４）上記給気装置の吹出し送風量は、上記給気口から吹出し供給される空気の最高到達高さが基準高さの範囲内となるように設定されている。
【００２５】
（５）上記基準高さは、上記給気口から上記床上空間に吹き出し供給される空気が床上空間全体に拡散する高さである。
【００２６】
（６）上記基準高さは、１．０ｍ〜２．５ｍに設定されている。
【００２７】
（７）上記給気装置は、上記給気口を形成する給気ガラリと、この給気ガラリに一体的設けられた給気ファンとからなり、上記給気ファンは、吸込み口が上記床下空間に開口するとともに、吹出し口が上記給気ガラリの開口部に一体的に接続開口されている。
【００２８】
（８）上記給気ガラリの開口部は、上記給気ファンが接続開口される吹出し開口と、上記床下空間と床上空間を連通する連通口とから構成されている。
【００２９】
（９）上記給気装置は、上記床上空間の各居室内同一床面に少なくとも１台設
置されている。
【００３０】
（１０）上記床上空間に設置される上記給気装置の総吹出し送風量は、上記空調装置から上記床下空間に吹き出される送風量よりも大きくなるように設定されている。
【００３１】
（１１）２階建て住宅の形態とされた家屋において、１階および２階の各階層が、上記構成を備えている。
【００３２】
（１２）上記床上空間を換気する換気装置が上記床下空間に設置され、この換気装置は、上記床上空間の空気を吸い込んで屋外に排気するとともに、新鮮な外気を吸い込んで上記床下空間に吹き出し、この床下空間に吹き出された新鮮な外気が上記空調装置から吹出される空調空気と混合され、この混合された空調空気が上記床上空間に吹出し供給される構成とされている。
【００３３】
（１３）上記換気装置は、上記床上空間の床面に開口する排気口に接続された排気ダクトにより、上記床上空間の空気を吸い込んで屋外に排気するとともに、外気を吸い込んで上記床下空間にダクトレスで吹き出す構成とされている。
【００３４】
（１４）上記換気装置は、屋外に排気する上記床上空間の空気と、上記床下空間に吹き出す外気との間で熱交換する熱交換部を備えている。
【００３５】
また、本発明の家屋は、上記本発明の空調システムを備えてなることを特徴とする。
【発明の効果】
【００３６】
本発明の空調システムは、家屋の床下空間に空調装置の空調空気である暖冷気を取り込んで居室等の床上空間の空調を行うものであって、上記空調装置は、空気吸込み部および空気吹出し部を備えて、暖房運転時には温風を吹き出し、冷房運転時には冷風を吹き出す構成とされ、上記床下空間は、外部とは遮蔽された高気密高断熱チャンバの形態とされ、上記空調装置の空気吹出し部に開口する吸気口および上記床上空間の床面に開口する給気口を備え、上記給気口に、上記床下空間の空気を上記床上空間に吹出し供給する給気装置が設けられてなり、暖房運転時には、上記空調装置から吹き出される温風が上記床下空間を経て上記給気装置により上記床上空間に吹出し供給されるとともに、冷房運転時には、上記空調装置から吹き出される冷風が上記床下空間を経て上記給気装置により上記床上空間に吹出し供給される構成とされているから、以下に列挙するような特有の効果が有効に発揮されて、ダクト配管が不要なダクトレスで、冷暖房機能が十分に発揮され得る床下空調システムを提供することができる。
【００３７】
（１）暖房期には、高気密高断熱チャンバの形態とされた床下空間に空調装置から吹き出された温風による暖気が、床上空間の床面に開口する給気口を介して床上空間である居室等に供給されるとともに、冷房期には、上記空調装置から床下空間に吹き出された冷風による冷気が、上記給気口を介して上記居室等に供給されるように構成されているから、複雑なダクト配管の必要がなく、施工が熟練を要さず容易であり、空調装置の設置コストが低くて、初期投資も低額で済む。
【００３８】
（２）上記床下空間から床上空間の床面に開口される給気口に、上記床下空間の空気を上記床上空間に吹出し供給する給気装置が設けられているから、床下空間に空気の流通の抵抗となる基礎コンクリート（基礎部）の立ち上げ部があっても、空調装置から吹き出された空調空気（温風、冷風）は、上記給気装置の吸引力により、空調装置の近傍に滞留することなく床下空間を円滑に流れて、床下空間全体に行き渡るとともに、上記給気口から各居室に吹き出し供給されて暖房や冷房効果が有効に発揮される。
【００３９】
特に、従来実用化が困難ないしは不可能であった冷房についても、上記給気装置の吹出し力により、冷気が上記給気口から床上空間に上昇して供給される結果、床上空間の床面近くに冷気が停滞することなく居室内に均等に拡散されて、冷房効果が居室内全体にわたり有効に発揮される。
【００４０】
また、冷房運転時でも、上記給気装置の吹出し力により、冷気は床下空間に停滞することなく円滑に流れて、結露が生じ難く、床下空間内にカビなどが発生するおそれがない。
【００４１】
さらに、空調空気が床下空間全体に行き渡ることにより、床上空間における居室以外の脱衣所や浴室などの小空間も空調（暖房・冷房）が行われて、床上空間全体が温度差の小さい均一で快適な暖房・冷房効果を享受することができる結果、従来のように居住者が移動のたびに不快感を感じることもなく、熱効率も良好である。特に、従来問題となっていた暖房期における高齢者にとってのヒートショックの危険も少ない。
【図面の簡単な説明】
【００４２】
【図１】本発明の実施形態１である空調システムを備えた家屋の概略構成を示す正面断面図である。
【図２】同家屋の１階の部分の構成を示す平面図である。
【図３】同じく同家屋の２階部分の構成を示す平面図である。
【図４】同空調システムにおける空調装置の配置構成を示し、図４（ａ）は側面断面図、図４（ｂ）は一部を切開して示す平面図、図４（ｃ）は正面断面図である。
【図５】同家屋における各階層部分の床部に設置される空調システムの給気装置を示す斜視図である。
【図６】同給気装置の吹出し送風量の設定高さを説明するための側面図である。
【図７】同給気装置の構成を示し、図７（ａ）は平面図、図７（ｂ）は正面面図、図７（ｃ）は底面図、図７（ｄ）は側面図である。
【図８】本発明の実施形態２である空調システムを備えた家屋の概略構成を示す正面断面図である。
【図９】本発明の実施形態３である空調システムを備えた家屋の概略構成を示す正面断面図である。
【図１０】同家屋の１階の部分の構成を示す平面図である。
【図１１】同じく同家屋の２階部分の構成を示す平面図である。
【図１２】本発明の実施形態４である空調システムを備えた家屋の概略構成を示す正面断面図である。
【図１３】本発明の実施形態５である空調システムにおける空調装置の配置構成を示し、図１３（ａ）は側面断面図、図１３（ｂ）は平面図、図１３（ｃ）は正面断面図である。
【図１４】従来の空調システムを備えた家屋の概略構成を示す正面断面図である。
【発明を実施するための形態】
【００４３】
以下、本発明の実施形態を図面に基づいて詳細に説明する。なお、図面全体にわたって同一の符号は同一の構成部材または要素を示している。
【００４４】
実施形態１
本発明に係る空調システムを備えた家屋が図１〜図７に示されており、この家屋１は、具体的には、全館空調方式の空調システムＡＳを備えてなる。
【００４５】
図示の実施形態の家屋１は、２階建ての２階層構造とされ、床上空間として、１階の床上空間２と２階の床上空間３を備える。
【００４６】
１階の床上空間２は居室２a、２ａ、…を主要部として構成されるとともに、２階の床上空間３は居室３ａ、３ａ、…を主要部として構成されており、さらに階段や吹抜けなどの１階から２階への貫通空間（床上空間）４、および玄関５ａ、便所５ｂ、脱衣室兼洗面所５ｃ、浴室５ｄ、押入れ５ｅ、クローゼット５ｆなどの小空間を備えてなり、１階の床上空間２と２階の床上空間３の下方には、床部６、７を隔てて、床下空間８、９がそれぞれ設けられている。
【００４７】
ここで、家屋１は全館空調に適した高気密高断熱構造を備えることが好ましく、つまり、家屋１内外間の空気の流通を防止する機能、例えば、家屋１の屋内の床上空間２、３などに家屋１の屋外から隙間風等が侵入せず、また屋内の空気が屋外へ漏出しない高気密性と、家屋１内外部間の熱移動・熱伝達を防止する機能、例えば、冬であれば家屋１の屋内の床上空間２、３の暖気が屋外へ逃げず、夏であれば家屋１の屋内の床上空間２、３の冷気が屋外へ逃げない高断熱性を備えることが好ましい。
【００４８】
この目的のため、具体的には、図示の実施形態の家屋１において、外部と接する部位である基礎コンクリート（基礎部）１０、外壁１１および屋根部１２などについて、隙間等のない高い気密性が確保されるとともに、断熱性能に優れる断熱材が使用され、また窓１３、１３、…としては、複層ガラス入りサッシ等が採用されることが好ましい。
【００４９】
また、後述するように、空調システムＡＳの主要構成部である床下空間８、９は、上記家屋１内部の床上空間２、３よりも高い気密・断熱構造を備えることが好ましい。
【００５０】
空調システムＡＳは、家屋１における１階の床下空間８に空調装置１５の暖冷気を取り込んで、１階および２階の床上空間２、３の空調を行ういわゆる床下空調システムであって、空調装置１５、床下空間８、９および給気装置１６を主要部として構成されている。
【００５１】
空調装置１５は、空気吸込み部１５ａおよび空気吹出し部１５ｂを備えて、暖房運転時には温風を吹き出し、冷房運転時には冷風を吹き出す構成とされ、具体的には、従来周知の一般的な家庭用エアコンが採用されている。
【００５２】
この家庭用エアコンとしては、空調装置１５が、後述するように、ダクトを使用しないいわゆるダクトレスタイプであることから、通常の壁掛けエアコンの採用も可能であり、図示の実施形態ではこの壁掛けエアコンの屋内機が使用されている。
【００５３】
すなわち、図示の実施形態の空調装置１５は、屋外に設置された屋外機（図示省略）と接続されているヒートポンプ式エアコンの壁掛け型の屋内機の形態とされ、上記１階の床上空間２と床下空間８の境界部である床部６に設置されて、上記空気吸込み部１５aから上記床上空間２の空気を吸い込むとともに、上記空気吹出し部１５ｂから上記床下空間８に温風または冷風の空調空気を吹き出す構成とされている。
【００５４】
具体的には、上記空調装置１５は、壁掛け型の屋内機の形態とされ、その一部が上記床下空間８に臨んでまたはその全部が上記床上空間に配置されており、図示の場合は、図４（ａ）〜（ｂ）に示すように、空調装置１５の一部つまり下半部分が床下空間８に臨んで配置されている。
【００５５】
すなわち、図４において、１階の床部６は、基礎コンクリート１０の上に土台」２７が敷設され、この土台２７に大引２８、２８、…が所定の間隔（通常９１０ｍｍ）をもって接続固定され、これら大引２８、２８、…の上に床材２９が張設されてなる。
【００５６】
上記床材２９には、上記空調装置１５に対応する開口部２０が設けられており、空調装置１５は、この開口部２０に上下方向へ挿通配置されて、その空気吸込み部１５aが床上空間２に臨んで配置されるとともに、その空気吹出し部１５ｂが床下空間８に臨んで配置されている。３１は、上記空気吹出し部１５ｂに設けられた風向き調整用のルーバーである。
【００５７】
上記床部６の開口部２０は、空調装置１５の平面外周面積よりも大きく形成されるとともに、空調装置１５の正面に設けられたカバー１５ｃをメンテナンス時に開閉可能な大きさに設定され、また、空調装置１５が基礎コンクリート１０の断熱材３２（後述）の内側に配置されるような位置に設けられている（図４（ａ））。
【００５８】
また、図４（ａ）および（ｃ）に示すように、上記開口部２０と空調装置１５の間は、床上空間２と床下空間８との間の気密性を保持するために、空調装置１５の外周全周にわたってシール部材３３により密閉されている。これにより、開口部２０は、後述するように、床下空間８の上記空調装置１５の空気吹出し部１５ｂに開口する吸気口を形成する。
【００５９】
なお、上記エアコンの冷暖房能力は、実際に適用される家屋１の構造等に依存しており、具体的には、実際の運用試験に基いて、その家屋１に適した機器が選択採用される。
【００６０】
床下空間８、９は、外部とは遮蔽された高気密高断熱チャンバの形態とされ、上記床上空間２、３よりもより高い気密・断熱構造を備えた密閉空間とされている。
【００６１】
例えば、１階の床下空間８は、具体的には、基礎コンクリート１０と上記１階の床部６とにより区画形成されるとともに、外部と遮断された密封空間とされてなる。さらに、上記床下空間８の内周全域が高い断熱性を有するシール材３３で被覆形成されて、床下空間８の内外部間の熱移動・熱伝達が確実に遮断される高断熱構造とされている。
【００６２】
上記床下空間８は、上記空調装置１５の空気吹出し部１５ｂに開口する吸気口２０と、上記床上空間２の床部６の床面６ａに開口する給気口２１とを備えるとともに、連通路１７を介して２階の床下空間９と連通接続されている。
【００６３】
２階の床下空間９は、上記のとおり連通路１７を介して１階の床下空間８と連通接続されるとともに、１階の床上空間２と連通する連通口１８と、２階の床上空間３の床部７の床面７ａに開口する給気口２１とを備えている。
【００６４】
上記給気口２１は、上記床下空間８の空気を上記床上空間２、３に吹出し供給する部位で、図２および図３に示すように、１階および２階の床上空間２、３の各居室２ａ、３ａ、…内の床面６ａ、７ａに少なくとも１つずつ開設されており、これら給気口２１、２１、…には、上記給気装置１６がそれぞれ設けられている。
【００６５】
上記給気装置１６は、上記床下空間８の空気を上記床上空間２、３に吹出し供給するもので、具体的には、上記給気口２１と一体に形成されたユニット構造とされている。換言すれば、給気口２１と一体構造とされた給気装置１６は、上記床上空間２、３の各居室２ａ、３ａ、…内の床面６ａ、７ａに少なくとも１台ずつ設置されている。
【００６６】
この給気装置１６つまり上記給気口２１の具体的な設置箇所は、図２および図３に示すように、各居室２ａ、３ａ、…における隅部に設定されて、給気装置１６から吹出し供給される空調空気（暖気、冷気）が直接人体に当たらないように構成されている。
【００６７】
給気装置１６の各居室２ａ、３ａにおける具体的な設置数は、以下の機能を十分に有効にかつ効率良く発揮することを目的として、各居室２ａ，２ｂの広さおよび構造に応じて設定される。
【００６８】
上記給気装置１６は、（ａ）各床上空間２、３への空調空気の十分な供給を確保する機能と、（ｂ）１階の床下空間８内の空調空気の円滑な流通を確保する機能との２大機能を兼備する構成とされ、その目的のため、具体的には以下の条件（ｉ）および（ii）を満たす構成とされている。
【００６９】
（ｉ）給気装置１６の吹出し送風量は、図６に示すように、上記給気口２１から吹出し供給される空調空気の最高到達高さ（吹出し高さ）が基準高さＨとなるように設定されている。この条件は、空調空気特に冷風（冷気）が各居室２ａ、３ａの冷房効果を有効に発揮するために設定されている。
【００７０】
具体的には、上記基準高さＨは、上記給気口２１から床上空間２、３に吹き出し供給される空調空気、特に冷風が床上空間２、３全体に拡散する高さであり、１．０ｍ≦Ｈ≦２．５ｍに設定されており、より望ましくは、１．２ｍ≦Ｈ≦２．３ｍに設定される。
【００７１】
すなわち、暖房の場合は、温風（暖気）が軽いため、床上空間２、３の床面６ａ、７ａに開口される給気口２１から床上空間２、３に自然上昇するが、冷房の場合は、冷風（冷気）が重いため、上記給気口２１から床上空間２、３に上昇し難く、床上空間２、３の床面６ａ、７ａ近くに停滞してしまい、十分な冷房効果が得られない。
【００７２】
この点に関して、本発明者らは、本発明に至る試験・研究段階において、市販の小型送風機を上記給気口２１に設置して吹出し実験を行ったところ、既存の小型送風機で本発明に要求される上記（ａ）の機能、特に冷房時に要求される機能（居室２a、３ａ全体を有効に冷房する機能）を発揮するものはなかった。
【００７３】
本発明者らは、これを契機として、上記給気口２１から床上空間２、３に吹き出し供給される空気について、どのような条件が満たされれば、所期の効果が得られて、上記（ａ）の機能が発揮され得るかについての実験を行った結果、上記給気口２１から吹出される空気の吹出し高さがある程度以上になると、空調空気、つまり軽い温風はもちろん、重い冷風でも、空中で拡散して床上空間２、３全体に行き渡ることを発見した。
【００７４】
そして、この効果が確実に安定して得られる吹出し高さを得るための試験を繰り返し行った結果、上記基準高さＨが得られたのである。
【００７５】
なお、この基準高さＨは、１．０ｍ以上であれば、給気口２１から吹出される空調空気が空中で拡散して床上空間２、３全体に行き渡る一方で、２．５ｍよりも高いと、床上空間２、３の天井１００に直接当たってはね返り、このはね返った空調空気が吹き出された空調空気に衝突する結果、空調空気の均一な拡散を乱したり、人体Ｍに直接当たって不快感を与えることが判明した。また、基準高さＨが２．５ｍ以上の高さになると、ファンの風切音が強く耳障りとなり、同様に不快感を与えることも判明している。
【００７６】
図示の実施形態の給気装置１６における給気ガラリ２２からの吹出し送風量は、１５０ｍ3 ／ｈ以上３００ｍ3 ／ｈ以下の範囲に設定され、このときの上記給気口２１から吹出し供給される空調空気の吹出し高さＨは、１．５ｍ〜２．３ｍに設定されている。
【００７７】
（ｂ）床上空間２、３に設置される給気装置１６、１６、…の総吹出し送風量は、空調装置１５から上記床下空間８に吹き出される送風量よりも大きくなるように設定されている。
【００７８】
すなわち、床下空間８には、基礎コンクリート１０の立ち上げ部（図示省略）が一般的であり、この立ち上げ部の存在が床下空間８における空気の流通の抵抗となっているところ、空調装置１５の１階の床下空間８に対する吹出し送風量より大きな送風量の給気装置を使うことにより、上記立ち上げ部の有無にかかわらず、空調装置１５から吹出される空調空気は、上記給気装置により強制的に吸引されて床下空間８を流れる。
【００７９】
本実施形態の給気装置１６は小型であり、その吹出し送風量は空調装置１５の吹出し送風量よりも小さいが、この給気装置１６が設置されて作用する空間（床下空間８、９および床上空間２、３）は、一つの密閉性の高い閉空間であることから、設置される給気装置１６、１６、…の送風量を単純に加算した総吹出し送風量が上記空調装置１５の吹出し送風量よりも大きくなることによって、所期の機能・効果が得られることが判明した。
【００８０】
しかも、給気装置１６、１６、…の設置箇所、特に１階の床部６おける設置箇所は、図２に示すように、上記床上空間２の各居室内２ａ、２ａ、…の部屋隅部位に設置されているため、空調装置１５から吹出される空調空気は、これら床部６に散点状に配置された給気装置１６、１６、…により強制的に吸引される結果、コンクリート基礎の立ち上げ部の有無にかかわらず、床下空間８を円滑に流れて、床下空間全体に行き渡るとともに、上記給気口２１、２１、…から各居室２ａ、」３ａ、…に吹き出し供給されて、床上空間２、３の暖房や冷房効果が有効に発揮される。
【００８１】
上記給気装置１６の具体的な構成は、図５に示すように、上記給気口２１を形成する給気ガラリ２２と、この給気ガラリ２２に一体的に設けられた給気ファン２３とから構成されたユニット構造とされている。
【００８２】
上記給気ファン２３は、吸込み口２３ａが上記床下空間８に開口するとともに、吹出し口２３ｂが上記給気ガラリ２２の開口部つまり上記給気口２１に一体的に接続開口されている。給気ファン２３の給気能力は、上述した給気装置１６に要求される２つの機能（ａ）、（ｂ）を発揮し得る上記（ｉ）、（ii）の条件を満たすように設定構成されている。
【００８３】
また、床上空間２、３の居室２ａ、３ａ、…等の室内温度は、給気口２１に、２１、…から吹き出される空調空気（暖気、冷気（温風、冷風）の送風量と温度によって決まるところ、上記給気ファン２３は、上記室内温度が温調装置１５により設定される上記室内温度が安定して維持されるように、上記送風量を可変調整する給気能力を備える構成とされている。
【００８４】
上記給気ガラリ２２の開口部は、図５および図７に示すように、上記給気ファン２３の吹出し口２３ｂが直接接続開口される吹出し開口２２ａと、上記床下空間８と床上空間２、３を連通する連通口２２ｂ、２２ｂとから構成されている。
【００８５】
このような構成とされることにより、空調システムＡＳにおける空調空気の循環が以下のように常時安定して円滑に行われる。
【００８６】
すなわち、空調装置１５の通常運転（暖房時、冷房時）において、空調装置１５の空気吹出し部１５ｂから床下空間８に吹き出される空調空気の吹出し送風量は、床上空間２、３の室温が空調装置１５の設定温度と相違している場合（例えば、暖房運転において、床上空間２、３の室温が空調装置１５の設定温度よりも低い場合や、冷房運転において、床上空間２、３の室温が空調装置１５の設定温度よりも高い場合）、床上空間２、３の室温が空調装置１５の設定温度になるまでは、空調装置１５の空気吹出し部１５ｂから床下空間８に吹き出される空調空気の吹出し送風量は設定風量に維持されるとともに、床上空間２、３の室温が空調装置１５の設定温度になると、空調装置１５から床下空間８に吹き出される空調空気の吹出し送風量は設定風量よりも低くなり、ないしはゼロになる。
【００８７】
一方、給気装置１６、１６、…から床上空間２、３に吹出し供給される空調空気の吹出し給気量は、上記空調装置１５の空調空気の設定風量に対応した一定量である。
【００８８】
そして、空調装置１５が床上空間２、３の室温を上記設定温度となるように空調空気を吹き出している状態では、床下空間８、９と床上空間２、３の空気圧は互いに等しくて均衡が保たれていることから、床下空間８、９と床上空間２、３を挟んでの上記給気ガラリ２２の連通口２１ｂ、２１ｂの空気流通はほとんど生じない。
【００８９】
一方、空調装置１５からの空調空気の吹出し供給により、床上空間２、３の室温が上記設定温度に到達して、空調装置１５の空調空気の吹出し送風量が上記設定風量より低下ないしはゼロになると、床下空間８、９と床上空間２、３の空気圧の均衡が崩れて、床下空間８、９の空気圧が床上空間２、３に対して低く（負圧状態）なり始める。すると、床下空間８、９と床上空間２、３を挟んでの上記給気ガラリ２２の連通口２１ｂ、２１ｂの空気流通は、床上空間２、３から負圧状態となった床下空間８、９に向けて流れていき、最終的に床下空間８、９と床上空間２、３の空気圧は互いに等しくなって均衡する。
【００９０】
その結果、空調装置１５の吹出し送風量の変化に関わらず、床下空間８、９と床上空間２、３の空気圧は常に等しく均衡が保たれて、空調システムＡＳにおける空調空気の循環は常時安定して円滑に行われる。
【００９１】
また、上記床上空間２、３には、床上空間２、３内の空気を換気するための換気装置２５が複数台設けられている。
【００９２】
この換気装置２５は、従来公知の一般的な換気装置で、具体的には、外気を取り込む給気と、汚れた屋内の空気を排出する排気との両者を、それぞれ給気用換気扇２６ａと排気用換気扇２６ｂにより強制的に行う第１種換気(給排気型)システムである。これら換気装置２５、２５、…が定期的にまたは随時駆動されて、床上空間２、３が換気される。
【００９３】
しかして、以上のように構成された空調システムＡＳは２４時間空調に適しており、暖房運転時には、上記空調装置１５から吹き出される温風（暖気）が上記床下空間８，９を経て、上記給気装置１６、１６、…により上記床上空間２、３に吹出し供給されるとともに、冷房運転時には、上記空調装置１５から吹き出される冷風（冷気）が上記床下空間８、９を経て、上記給気装置１６、１６、…により上記床上空間２、３に吹出し供給される。
【００９４】
具体的には、空調装置１５と給気装置１６、１６、…が駆動すると、空調装置１５は、空気吸込み部１５aから一階の床上空間２の空気を吸い込むとともに、空気吹出し部１５ｂから一階の床下空間８に温風または冷風の空調空気を吹出し供給する。一方、給気装置１６、１６、…は、上記床下空間８および２階の床下空間９の空調空気を吸い込むとともに、給気口２１、２１、…から１階の床上空間２および２階の床上空間３に吹出し供給して、床上空間２、３を空調する。
【００９５】
これら空調装置１５と給気装置１６の協働作用により、上記空調装置１５から吹出される空調空気（暖気、冷気）は、１階および２階の給気装置１６、１６、…により強制的に吸引されて、床下空間８を円滑に流れるとともに、連通路１７を介して２階の床下空間９にも流れて、床下空間８、９全体に行き渡り、さらに、各給気口２１、２１、…から床上空間２、３の各居室２ａ、３ａ、…に吹き出し供給される。
【００９６】
この場合、上記各給気口２１から床上空間２または３に吹き出し供給される空調空気の到達高さは、軽い暖気はもちろんのこと、重い冷気であっても上述し標準高さＨ以上となる。このため、この最高到達高さまで吹出された空調空気は、その後拡散して床上空間２、３全体に行き渡り、床上空間２、３を有効に空調して、十分な暖房や冷房効果が発揮される。
【００９７】
なお、上記床上空間２、３全体への空調空気の流通については、具体的には図示しないが、各居室２ａ、３ａ、…を区切る間仕切り壁のドアに設けられたアンダーカットやガラリが空調空気の通り道となって、各居室２ａ、３ａ、…等への空調空気の流れが円滑に促進される。また、クローゼットの折れ戸や、押し入れのふすま、引き戸などは４辺に隙間があるので、そこからも通気される。
【００９８】
以上のように、本実施形態の空調システムＡＳによれば、家屋１の１階部分の床下空間８に空調装置１５の空調空気（暖気、冷気）を取り込んで居室２a、３ａ、…等の床上空間２、３の空調を行うものであって、上記空調装置１５は、空気吸込み部１５ａおよび空気吹出し部１５ｂを備えて、暖房運転時には温風を吹き出し、冷房運転時には冷風を吹き出す構成とされる。また、上記床下空間８は、外部とは遮蔽された高気密高断熱チャンバの形態とされ、上記空調装置１５の空気吹出し部１５ｂに開口する吸気口２０および上記床上空間２、３の床面６ａ、７ａに開口する給気口２１，２１、…を備え、これら給気口２１、２１、…に、上記床下空間８の空調空気を上記床上空間２、３に吹出し供給する給気装置１６が設けられてなる。これにより、暖房運転時には、上記空調装置１５から吹き出される温風が上記床下空間８を経て上記給気装置１６、１６、…により上記床上空間２、３に吹出し供給されるとともに、冷房運転時には、上記空調装置１５から吹き出される冷風が上記床下空間８を経て上記給気装置２１、２１、…により上記床上空間２、３に吹出し供給される構成とされているから、以下に列挙するような特有の効果が有効に発揮されて、ダクト配管が不要なダクトレスで、冷暖房機能が十分に発揮され得る。
【００９９】
（ａ）暖房期には、高気密高断熱チャンバの形態とされた床下空間８に空調装置１５から吹き出された温風による暖気が、床上空間２，３の床面６ａ、７ａに開口する給気口２１、２１、…を介して床上空間２、３である居室２ａ、３ａ等に供給されるとともに、冷房期には、上記空調装置１５から床下空間８に吹き出された冷風による冷気が、上記給気口２１、２１、…を介して上記居室２ａ、３ａ等に供給されるように構成されているから、複雑なダクト配管の必要がなく、施工が熟練を要さず容易であり、空調装置１５の設置コストが低くて、初期投資も低額で済む。
【０１００】
（ｂ）上記床下空間８から床上空間２、３の床面６ａ、７ａに開口される給気口２１、２１、…に、上記床下空間８の空調空気を上記床上空間２、３に吹出し供給する給気装置１６が設けられているから、床下空間８に空気の流通の抵抗となる基礎コンクリートの立ち上げ部があっても、空調装置１５から吹き出された空調空気（温風、冷風）は、上記給気装置１６の吸引力により、空調装置１５の近傍に滞留することなく床下空間８さらには２階部分の床下空間９を円滑に流れて、床下空間８、９全体に行き渡るとともに、上記給気口２１、２１、…から各居室に吹き出し供給されて暖房や冷房効果が有効に発揮される。
【０１０１】
特に、従来実用化が困難ないしは不可能であった冷房についても、上記給気装置１６、１６、…の吹出し力により、冷気が上記給気口２１、２１、…から床上空間２、３に上昇して供給される結果、床上空間２、３の床面６ａ、７ａに冷気が停滞することなく居室２ａ、３ａ内に均等に拡散されて、冷房効果が居室２ａ、３ａ内全体にわたり有効に発揮される。
【０１０２】
また、冷房運転時でも、上記給気装置１６、１６、…の吹出し力により、冷気は床下空間８、９に停滞することなく円滑に流れて、結露が生じ難く、床下空間８、９内にカビなどが発生するおそれがない。
【０１０３】
さらに、空調空気が床下空間２、３、４全体に行き渡ることにより、床上空間２、３における居室２ａ、３ａ、…以外の便所５ｂ、脱衣室兼洗面所５ｃ、浴室５ｄなどの小空間も有効に空調（暖房・冷房）が行われて、床上空間２、３全体が温度差の小さい均一で快適な暖房・冷房効果を享受することができる。その結果、従来のように居住者が移動のたびに不快感を感じることもなく、熱効率も良好である。特に、従来問題となっていた暖房期における高齢者にとってのヒートショックの危険も少ない。
【０１０４】
実施形態２
本実施形態は図８に示されており、実施形態１における空調システムＡＳの構成が改変されたものである。
【０１０５】
すなわち、本実施形態の空調システムＡＳは、１階の空調装置１５に加えて、２階部分にも空調装置３０が配された構成とされている。
【０１０６】
上記空調装置３０は、１階部分の空調装置つまり実施形態１の空調装置１５と同一の基本構成を備えてなる
【０１０７】
つまり、空調装置３０は、屋外に設置された屋外機（図示省略）と接続されているヒートポンプ式エアコンの屋内機の形態とされ、上記２階の床上空間３と床下空間９の境界部である床部７に設置されて、空気吸込み部３０aから上記床上空間３の空気を吸い込むとともに、空気吹出し部３０ｂから上記床下空間９に温風または冷風の空調空気を吹き出す構成とされている。
【０１０８】
なお、上記エアコンの冷暖房能力は、前述したように、実際の運用試験に基いてその家屋１に適した機器が選択設定されるところ、本出願時点での一般市販の家庭用エアコンの冷暖房能力は、定格冷暖房能力が小さいほど冷暖房効果が大きいことが判明している。
【０１０９】
したがって、本実施形態のように、２台のエアコンの屋内機を空調装置１５、３０として採用して、実施形態１と同じ室内容量の床上空間２、３を全館空調する場合、実施形態１のように１台のエアコンで賄うよりも、このエアコンよりも定格冷暖房能力の小さい２台のエアコンで賄う方が、結果として冷暖房効率が高くて、消費電力を小さく抑えることが可能である。
【０１１０】
具体的には、家屋１の外壁１１、屋根部１２、窓１３、または天井、および基礎コンクリート部または1階床面からの全熱損失貫流当たりから算出される全熱損失を補完するエアコンつまり実施形態１のエアコンの冷暖房能力に対して、本実施形態においては、この実施形態１のエアコンの定格冷暖房能力の０．５〜０．６の定格冷暖房能力を有するエアコンを１階と２階の各床部６、７に設置する。
【０１１１】
また、これに関連して、２階の床下空間９は、１階の床下空間８と同様、外部とは遮蔽された高気密高断熱チャンバの形態とされるとともに、上記１階の床下空間８とは互いに独立した密封空間構造とされている。
【０１１２】
すなわち、１階の床下空間８は、上記空調装置１５の空気吹出し部１５ｂに接続開口する吸気口２０と、１階の床上空間２の床部６の床面６ａに開口する給気口２１、２１、…とを備える一方、２階の床下空間９は、上記空調装置３０の空気吹出し部３０ｂに接続開口する吸気口３５と、上記床上空間３の床部７の床面７ａに開口する給気口２１、２１、…とを備える。また、実施形態１の場合と異なり、これら両床下空間８、９を連通接続する連通路１７と、床下空間９と１階の床上空間２を連通させる連通口１８は設けられていない。
【０１１３】
しかして、本実施形態の２階建て住宅の形態とされた家屋１においては、１階および２階の各階層が、実施形態１における空調システムＡＳと同様の構成を備えており、暖房運転時には、１階の空調装置１５と２階の空調装置３０から吹き出される温風がそれぞれ、１階の床下空間８と２階の床下空間９を経て、給気装置１６、１６、…により１階の床上空間２と２階の床上空間３に吹出し供給されるとともに、冷房運転時には、同じく上記両空調装置１５、３０から吹き出される冷風がそれぞれ、上記両床下空間８、９を経て、給気装置１６、１６、…により１階の床上空間２と２階の床上空間３に吹出し供給される。
その他の構成および作用は実施形態１と同様である。
【０１１４】
実施形態３
本実施形態は図９〜図１１に示されており、実施形態１における空調システムＡＳの構成が改変されたものである。
【０１１５】
すなわち、本実施形態の空調システムＡＳは、実施形態１における一般的な換気装置２５に替えて、床上空間２、３を換気する床下換気装置４０が採用されている。
【０１１６】
この床下換気装置４０は、１階の床下空間８に設置されており、送風機（図示省略）を備えて、床上空間２、３の空気を吸い込んで屋外に排気するとともに、外気を吸い込んで床下空間８に吹き出す構成とされている。
【０１１７】
また、床下換気装置４０は、内部に熱交換部４１を備えており、屋外に排気する上記床上空間２、３の空気と、上記床下空間８に吹き出す外気との間で熱交換する構成とされている。
【０１１８】
具体的には、上記床下換気装置４０は、内気吸込み部４２、排気部４３、外気吸込み部４４および給気部４５を備えて、１階の床上空間２、３の床面６ａ、７ａに開口する排気口４６、４６、…に接続された排気ダクト４７、４７、…により、上記床上空間２、３の空気を吸い込んで屋外に排気するとともに、外気を吸い込んで上記床下空間８、９にダクトレスで吹き出す構成とされている。
【０１１９】
図示の実施形態の床下換気装置４０において、内気吸込み部４２は、排気ダクト５０を介して分岐チャンバ５１に接続され、この分岐チャンバ５１には複数の上記排気ダクト４７、４７、…が分岐接続されており、これら排気ダクト４７、４７、…の先端は床上空間２、３の床面６ａ、７ａに開口する複数の上記排気口４６、４６、…にそれぞれ接続されている。また、上記内気吸込み部４２と排気部４３は、上記熱交換部４１を介して接続され、上記排気部４３は、排気ダクト５４を介して基礎コンクリート１０に設けられた内気排気口５５に接続開口されている。
【０１２０】
一方、外気吸込部４４は、給気ダクト５６を介して基礎コンクリート１０に設けられた外気吸入口５７に接続されている。また、上記外気吸込部４４と給気部４５は、上記熱交換部４１を介して接続され、上記給気部４５は、給気路５８を介して床下空間８に開口されている。
【０１２１】
つまり、本実施形態の床下換気装置４０においては、その給気経路がダクト配管のないダクトレス構成とされることにより、屋外から取り入れた新鮮な空気をフィルタを通して直接床下空間８に給気している。
【０１２２】
なお、上記内気排気口５５の設置箇所は、上記給気装置１６から吹出し供給供給される空調空気と内気排気口５５から吸引排気される室内空気とが互いに直接緩衝しない箇所に設定されており、図示の実施形態においては、図１０および図１１に示すように、各居室２ａ、３ａ、…の隅部における上記給気口２１、２１、…と離隔した設定されて、給気装置１６から吹出し供給される空調空気（暖気、冷気）を直接吸い込んでしまわないように構成されている。
【０１２３】
また、排気口４６の各居室２ａ、３ａにおける具体的な設置数は、床上空間２、３における空気排気機能を十分に有効にかつ効率良く発揮することを目的として、各居室２ａ，２ｂの広さおよび構造に応じて設定される。
【０１２４】
そして、上記床下換気装置４０の駆動により、床上空間２、３の床面６ａ、７ａに開口する複数の排気口４６、４６、…から排気ダクト４７、４７、…、分岐チャンバ５１を介して床下換気装置４０に排気された室内空気は、上記排気部４３から排気ダクト５４を介して上記内気排気口５５から家屋１外へ排気される。一方、外気吸入口５７から床下換気装置４０の外気吸込部４４に吸入された新鮮な外気は、給気部４５から給気管５８を介して床下空間８に吹出し供給されて、この床下空間８で空調装置１５からの空調空気と混合される。この新鮮な外気と混合された空調空気は、連通路１７を介して２階の床下空間９へ供給されて、家屋１内の換気、つまり床上空間２、３および床下空間８、９の換気が行われる。
【０１２５】
なお、上述したように、床下換気装置４０は、熱交換部４１を備えており、上記内気吸込み部４２から排気部４３へ流れる室内空気と、上記外気吸込部４４から給気部４５へ流れる外気とは、上記熱交換部４１を流れる際に相互に熱交換される。
【０１２６】
この熱交換部４１は、状況に応じて、熱交換動作を行う場合と、行わない場合とが選択的に切替え操作可能な構成とされており、例えば、換気される室内空気と外気との温度差が大きくて、外気の温度が温調された室内空気の温度と大きく相違している場合には、熱交換動作して、室内空気の持つ温度を外気に伝熱し、外気を室内空気の温度に近づける一方、上記温度差が小さくて、外気の温度が温調された室内空気に近い場合には熱交換動作しない。
【０１２７】
しかして、以上のように構成された空調システムＡＳにおいて、暖房運転時には、上記空調装置１５から吹き出される温風が上記床下空間８、９を経て、上記給気装置１６、１６、…により上記床上空間２、３に吹出し供給されるとともに、冷房運転時には、上記空調装置１５から吹き出される冷風が上記床下空間８、９を経て、上記給気装置１６、１６、…により上記床上空間２、３に吹出し供給される。また、暖房運転時および冷房運転時を通じて、上記床下換気装置４０により、上記床上空間２、３の室内空気が家屋１外へ排気されるとともに、家屋１外から取り入れられた新鮮な外気が、上記床下空間８で上記空調空気と混合された後、連通路１７を介して２階の床下空間９にも供給されて、上記床上空間２、３および床下空間８、９の換気が行われる。
【０１２８】
具体的には、空調装置１５と給気装置１６、１６、…が駆動すると、実施形態１において詳述したように、空調装置１５が１階の床下空間８に空調空気（暖気、冷気）を吹出し供給するとともに、給気装置１６、１６、…が上記床下空間８および２階の床下空間９の空調空気を吸い込んで、１階の床上空間２および２階の床上空間３に吹出し供給して、床上空間２、３を空調する。
【０１２９】
このとき、上記床下換気装置４０が駆動すると、この床下換気装置４０は、上記床上空間２、３の室内空気を家屋１外へ排気するとともに、家屋１外から新鮮な外気を取り入れて、上記床下空間８へ吹出し供給する。この場合、熱交換部４１により、排気すべき室内空気と取り入れるべき外気との間で必要に応じて熱交換する。
【０１３０】
上記床下空間８へ供給された新鮮な外気は、上記温調装置１５から供給された空調空気と混合されて、この外気と混合された空調空気は、さらに連通路１７を介して２階の床下空間９にも供給される。そして、このように新鮮な外気と混合し換気された空調空気は、上記給気装置１６、１６、…により上記床上空間２、３に吹出し供給されて、上記床下空間８、９と床上空間２、３の温調および換気が同時に行われる。
【０１３１】
この場合、上記床下空間９における上記温調装置１５からの空調空気と上記床下換気装置４０からの新鮮な外気との混合のメカニズムは、これら空調空気と外気が、特に１階の床部６に散点状に配置された給気装置１６、１６、…による強制的な吸引作用により、床下空間８を円滑に流れて、床下空間８全体に行き渡ることになるが、この際に上記空調空気と外気との混合も均一かつ十分に行われる。
【０１３２】
なお、上記床上空間２、３全体への空調空気の流通については、実施形態１でも述べたように、各居室２ａ、３ａ、…を区切る間仕切り壁のドアに設けられたアンダーカットやガラリが空調空気の通り道となって、各居室２ａ、３ａ、…等への空調空気の流れが円滑に促進される。また、クローゼットの折れ戸や、押し入れのふすま、引き戸などは４辺に隙間があるので、そこからも通気される。
その他の構成および作用は実施形態１と同様である。
【０１３３】
実施形態４
本実施形態は図１２に示されており、実施形態２における空調システムＡＳの構成が改変されたものである。
【０１３４】
すなわち、本実施形態の空調システムＡＳは、実施形態２における一般的な換気装置２５に替えて、床上空間２、３等を換気する床下換気装置４０が採用されている。
【０１３５】
本実施形態の床下換気装置４０は、実施形態３と同様のものであり、１階の床下空間８に設置されて、床上空間２、３の空気を吸い込んで屋外に排気するとともに、伸線な外気を吸い込んで床下空間８に吹き出す構成とされている。
【０１３６】
また、この床下換気装置４０を採用することに伴い、２階の床下空間９は、１階の床下空間８と連通する構造とされている。
【０１３７】
すなわち、２階の床下空間９は、空調装置３０の空気吹出し部３０ｂに開口する吸気口３５と、上記床上空間３の床部７の床面７ａに開口する給気口２１、２１、…とを備えるとともに、連通路１７を介して１階の床下空間８と連通接続されている。
【０１３８】
しかして、以上のように構成された床下空調システムＡＳにおいて、暖房運転時には、１階の空調装置１５と２階の空調装置３０から吹き出される温風がそれぞれ、１階の床下空間８と２階の床下空間９を経て、給気装置１６、１６、…により１階の床上空間２と２階の床上空間３に吹出し供給されるとともに、冷房運転時には、同じく上記両空調装置１５、３０から吹き出される冷風がそれぞれ、上記両床下空間８、９を経て給気装置１６、１６、…により１階の床上空間２と２階の床上空間３に吹出し供給される。
【０１３９】
また、暖房運転時および冷房運転時を通じて、上記床下換気装置４０により、上記床上空間２、３の室内空気が家屋１外へ排気されるとともに、家屋１外から取り入れられた新鮮な外気が、上記床下空間８で上記空調空気と混合された後、連通路１７を介して２階の床下空間９にも供給されて、上記床上空間２、３および床下空間８、９の換気が同時に行われる。
その他の構成および作用は実施形態２と同様である。
【０１４０】
実施形態５
本実施形態は図１３に示されており、実施形態１における空調システムＡＳの空調装置１５の配置構成が改変されたものである。
【０１４１】
すなわち、本実施形態の空調装置１５は、実施形態１と同様の壁掛け型の屋内機の形態とされ、床上空間２の床部６の床面６ａ上に配置されている。具体的には、空調装置１５が床部６の床面６ａ上に、床面６ａに接して、あるいは所定の間隔をもって配置される。
【０１４２】
図示の実施形態においては、空調装置１５は、図１３（ａ）に示すように、位置決め支持具（図示省略）により、床部６の床面６ａに所定の間隔をもって配置されるとともに、上記床部６の床材２９には、空調装置１５の空気吹出し部１５ｂに対応して開口部２０が設けられている。
【０１４３】
上記床部６の開口部２０は、空調装置１５の空気吹出し部１５ｂに対応した大きさに設定され、また、上記開口部２０と空調装置１５の間は、床上空間２と床下空間８との間の気密性を保持するために、空調装置１５の外周全周にわたってシール部材３３により密閉されている。これにより、上記開口部２０は、床下空間８の上記空調装置１５の空気吹出し部１５ｂに開口する吸気口を形成する。
【０１４４】
これにより、空調装置１５の空気吸込み部１５aが床上空間２に臨んで配置されるとともに、その空気吹出し部１５ｂが床下空間８に臨んで配置されている。３１は、上記空気吹出し部１５ｂに設けられた風向き調整用のルーバーである。
【０１４５】
しかして、以上のように構成された空調システムＡＳによれば、空調装置１５の形状寸法の大小に係らず設置が可能であり、近年の高性能化エアコンを空調装置１５に適用する場合に特に有効である。
【０１４６】
すなわち、空調装置１５が設置される床上空間２と床下空間８の境界部つまり１階の床部６の構造は、基礎コンクリート１０の上に土台」２７が敷設され、この土台２７に大引２８、２８、…が所定の間隔（通常９１０ｍｍ）をもって接続固定され、これら大引２８、２８、…の上に床材２９が張設されてなる。
【０１４７】
したがって、実施形態１のように、空調装置１５の一部を床下空間８に臨ませて設置する場合、つまり、実施形態１のように、空調装置１５を床部６に上下に貫通させた状態で設置する場合（図４参照）は、空調装置１５の幅寸法が上記大引２８、２８間の間隔よりも小さく、より厳密には空調装置１５のメンテナンス空間も確保できる幅寸法のものに制限される。
【０１４８】
しかしながら、近時、エアコンの能力を高めるために屋内機である空調装置１５における熱交換器の大型化を招き、空調装置１５の幅寸法も必然的に大きくなって、上記大引２８、２８間には納まらない。したがって、このような高性能エアコンの空調装置１５は、実施形態１のような設置構成を採用することが困難ないしは不可能である。
【０１４９】
これに対して、本実施形態のように床部６の床面６ａ上に配置される設置構成では、床部６の構造による制約をまったく受けることなく、空調装置１５の大小に係らず採用可能である。
【０１５０】
また、このように空調装置１５が床部６の床面６ａ上に配置される設置構成では、以下に列挙するような効果も得られる。
【０１５１】
（１）床部６の床材２９に設ける空調装置１５のための開口部２０の大きさを可及的に小さくすることが可能である。
【０１５２】
すなわち、実施形態１のように、空調装置１５の一部が床下空間８に臨んでまたはその全部が上記床上空間に配置される場合は、空調装置１５のための開口部２０は、図４に示すように、空調装置１５の平面の面積よりも大きく形成しなればならないが、本実施形態においては、開口部２０は、空調装置１５の空気吹出し部１５ｂに対応した大きさに設定すれば良く、よって空調装置１５の底面積よりも小さくて、外観的には空調装置１５に覆われて居室２ａ内に露出せず、居室２ａ内の美観を損ねることがない。
【０１５３】
（２）基礎コンクリート１０の内側の断熱材３２の厚みに係わらず、床上空間２の居室２ａの内装壁に近接して空調装置１５を設置することがきる。
【０１５４】
すなわち、床下空調システムにおいては、床下空間８の断熱性を確保するために、図１３（ａ）に示すように、基礎コンクリート１０の内側に断熱材２９が貼設されているが、実施形態１のように空調装置１５の一部を床下空間８に設置する場合は、空調装置１５は基礎コンクリート１０の断熱材２９の厚み分だけ、基礎コンクリート１０の内側に設置しなければならない。この結果、床面６ａから床上空間２の居室２ａに出ている空調装置１５は、居室２ａの内装壁から断熱材２９の厚み分だけ離れて設置しなければならず、これは、居室２ａ内の装飾デザインを損なうとともに、空調装置１５の床面６ａにおける占有面積を大きくすることとなる。
【０１５５】
本実施形態においては、図１３に示されるように、空調装置１５の全部が床部６の床面６ａ上に配置されるから、床下空間８の構造には何らの位置的制限も受けず、上記のような床上空間２の居室２ａの装飾デザイン空調装置１５の床面６ａにおける占有面積を不必要に大きくすることはない。
【０１５６】
（３）空調装置１５と床部６の床材２９との気密が取りやすい。
【０１５７】
床下空調システムでは、空調装置１５の空気吸込み部１５aからの空気の吸い込みが床上空間２からであり、一方空気吹出し部１５ｂからの空調空気の吹出しが床下空間８に向けてである。したがって、空調装置１５の空気吹出し部１５ｂからの吹出し風が上記吸込み部１５ａへ直接吸い込まれるのを防止するために、上記空気吹出し部１５ｂと空気吸込み部１５aの間は、空調装置１５の外周全周にわたってシール部材３３により気密性を保持する必要がある。
【０１５８】
この場合、実施形態１のように空調装置１５の一部を床下空間８に設置する場合は、図４（ａ）に示すように、シール部材３３による密閉箇所の輪郭形状が複雑で、その気密施工は簡単ではないが、本実施形態のように空調装置１５を床面６ａ上に設置する場合は、図１３（ａ）に示すように、シール部材３３による密閉箇所の輪郭形状が単純であり、あるいは図示しないが空調装置１５の底部周辺にシール部材としてポリウレタンなどの弾性発泡体を敷き込むだけでも良く、この部位の気密施工ないしは気密処理が簡単である。
【０１５９】
（４）空調装置１５の正面のカバー１５ｃを自由に開閉することができ、機内のメンテナンスが容易である。
【０１６０】
空調装置１５が市販の壁掛エアコンの屋内機の場合、機内の熱交換器などのメンテナンスのために空調装置１５のカバー１５ｃは開閉可能な構造となっている。実施形態１のように空調装置１５の一部を床下空間８に設置する場合は、図４（ａ）に示すように、床部６の開口部２０の形状寸法を工夫して、上記カバー１５ｃを開閉可能な構造とする必要があるが、本実施形態のように空調装置１５を床面６ａ上に設置する場合は、図１３（ａ）に示すように、空調装置１５のカバー１５ｃは自由に開閉が可能となる。
その他の構成および作用は実施形態１と同様である。
【０１６１】
なお、上述した実施形態１〜５はあくまでも本発明の好適な実施態様を示すものであって、本発明はこれらに限定されることなく、その範囲内で種々の設計変更が可能であり、例えば以下のような改変が可能である。
【０１６２】
例えば、図示の実施形態１〜５においては、２階建ての家屋１に本発明の空調システムＡＳが採用されているが、床下空間８を有する家屋１であれば、１階建て（平屋建て）の家屋、あるいは３階建て以上の家屋においても、本発明の空調システムＡＳは同様に適用可能である。
【０１６３】
また、図示の実施形態１〜５においては、給気装置１６は、床下空間８、９の給気口２１と一体に形成されたユニット構造とされているが、具体的な構造は図示の実施形態のものに限定されず、前述した（ａ）各床上空間２、３への空調空気の十分な供給を確保する機能と、（ｂ）１階の床下空間８内の空調空気の円滑な流通を確保する機能との２大機能を兼備する構成を備えている限りにおいて種々設計変更可能である。
【符号の説明】
【０１６４】
ＡＳ                        空調システム
１                          家屋
２                          １階の床上空間
２ａ                        １階の居室
３                          ２階の床上空間
３ａ                        ２階の居室
４                          １階から２階への貫通空間
６                          １階の床部
６ａ                        １階の床面
７                          ２階の床部
７ａ                        ２階の床面
８                          １階の床下空間
９                          ２階の床下空間
１０                        基礎部
１１                        外壁
１２                        屋根部
１３                        窓
１５                        空調装置
１５ａ                      空調装置の空気吸込み部
１５ｂ                      空調装置の空気吹出し部
１６                        給気装置
１７                        連通路
１８                        連通口
２０                        床下空間の吸気口
２１                        給気口（＝給気ガラリの開口部）
２１ａ                      吹出し開口
２１ｂ                      連通口
２２                        給気ガラリ
２２ａ                      給気ガラリの吹出し開口
２２ｂ                      給気ガラリの連通口
２３                        給気ファン
２３ａ                      給気ファンの吸込み口
２３ｂ                      給気ファンの吹出し口
２５                        換気装置
２６ａ                      給気用換気扇
２６ｂ                      排気用換気扇
３０                        空調装置
３０ａ                      空調装置の空気吸込み部
３０ｂ                      空調装置の空気吹出し部
３５                        床下空間の吸気口
４０                        床下換気装置
４１                        熱交換部
４２                        内気吸込み部
４３                        排気部
４４                        外気吸込み部
４５                        給気部
４６                        排気口
４７、５０、５４            排気ダクト
５１                        分岐チャンバ
５５                        内気排気口
５６                        給気ダクト
５７                        外気吸入口
【図１】
2020186874.tif 000003
【図２】
2020186874.tif 000004
【図３】
2020186874.tif 000005
【図４】
2020186874.tif 000006
【図５】
2020186874.tif 000007
【図６】
2020186874.tif 000008
【図７】
2020186874.tif 000009
【図８】
2020186874.tif 000010
【図９】
2020186874.tif 000011
【図１０】
2020186874.tif 000012
【図１１】
2020186874.tif 000013
【図１２】
2020186874.tif 000014
【図１３】
2020186874.tif 000015
【図１４】
2020186874.tif 000016